(57)【要約】【課題】複数のインジケータ表示用光源や遮光板を不要として、省スペース化および低コスト化を図ることができるＡ／Ｔインジケータ表示装置を提供する。【解決手段】制御装置１４による制御により、液晶表示パネル１１の各インジケータ表示部１１ａ〜１１ｇに表示される複数のインジケータ意匠のうち、選択されたシフトポジションに対応したインジケータ意匠のみをポジ表示またはネガ表示に切換え、選択されていない他のシフトポジションに対応した残りのインジケータ意匠を逆の表示状態に切換える。【選択図】図２
2007153046.tif 000002
【特許請求の範囲】
【請求項１】
自動変速機のシフトポジションに対応した複数のインジケータ意匠がポジ・ネガ切換え自在に表示可能な液晶表示パネルと、前記液晶表示パネルを背面側から照明するバックライトと、前記各インジケータ意匠のポジ・ネガ切換え表示を制御する制御手段とを備えたＡ／Ｔインジケータ表示装置であって、
前記制御手段は、前記液晶表示パネルに表示される前記複数のインジケータ意匠のうち、選択されたシフトポジションに対応したインジケータ意匠のみをポジ表示またはネガ表示のいずれかに切換え、選択されていない他のシフトポジションに対応した残りのインジケータ意匠を逆の表示状態に切換えるように制御する、
ことを特徴とするＡ／Ｔインジケータ表示装置。
【発明の詳細な説明】
【技術分野】
【０００１】
本発明は、自動変速機（以下、Ａ／Ｔという）のシフトポジションに対応したインジケータ意匠を表示するＡ／Ｔインジケータ表示装置に係り、特に車両用のコンビネーションメータ内に設けられるＡ／Ｔインジケータ表示装置に関する。
【背景技術】
【０００２】
車両用のコンビネーションメータには、スピードメータや燃料計などの表示計器が設置されており、更に、Ａ／Ｔ（自動変速機）を搭載した車両では、コンビネーションメータ内にＡ／Ｔをシフト操作するシフトレバーの位置（シフトポジション）を表示するＡ／Ｔインジケータ装置も設けられている（例えば、特許文献１参照）。
【０００３】
前記特許文献１のようなコンビネーションメータ（Ａ／Ｔインジケータ装置）では、Ａ／Ｔをシフト操作するシフトレバーの位置（シフトポジション）に対応した文字（例えば、Ｐ、Ｒ、Ｎ、Ｄ、３、２、Ｌ）を表示したインジケータ意匠部と、インジケータ意匠部の各文字に対応して設けた円形のＡ／Ｔポジション表示部を備えており、シフトレバーの位置（シフトポジション）に対応したインジケータ意匠部のＡ／Ｔポジション表示部を点灯表示させるように構成されている。また、前記特許文献１では、インジケータ意匠部の夜間照明用光源として、メータ照明用光源を兼用している。
【特許文献１】特開平９−８６２２６号公報（段落［００１７］、図１、図２）
【発明の開示】
【発明が解決しようとする課題】
【０００４】
ところで、前記特許文献１のようなコンビネーションメータ（Ａ／Ｔインジケータ装置）では、複数のポジション表示用の光源（ＬＥＤ）を各Ａ／Ｔポジション表示部の背面側にそれぞれ配置し、更に各Ａ／Ｔポジション表示部の光源の光が外部（インジケータ意匠部など）に漏れないようするための遮光板を設ける必要があるので、大きな設置スペースが必要となり、かつコストも高くなる。
【０００５】
そこで、本発明は、複数のポジション表示用の光源および遮光板を不要とすることにより、省スペース化および低コスト化を図ることができるＡ／Ｔインジケータ表示装置を提供することを目的とする。
【課題を解決するための手段】
【０００６】
前記目的を達成するために本発明は、自動変速機のシフトポジションに対応した複数のインジケータ意匠がポジ・ネガ切換え自在に表示可能な液晶表示パネルと、前記液晶表示パネルを背面側から照明するバックライトと、前記各インジケータ意匠のポジ・ネガ切換え表示を制御する制御手段とを備えたＡ／Ｔインジケータ表示装置であって、前記制御手段は、前記液晶表示パネルに表示される前記複数のインジケータ意匠のうち、選択されたシフトポジションに対応したインジケータ意匠のみをポジ表示またはネガ表示のいずれかに切換え、選択されていない他のシフトポジションに対応した残りのインジケータ意匠を逆の表示状態に切換えるように制御することを特徴としている。
【発明の効果】
【０００７】
本発明によれば、制御手段による制御により、液晶表示パネルに表示される複数のインジケータ意匠のうち、選択されたシフトポジションに対応したインジケータ意匠のみをポジ表示またはネガ表示のいずれかに切換え、選択されていない他のシフトポジションに対応した残りのインジケータ意匠を逆の表示状態に切換えることにより、複数のインジケータ表示用光源や遮光板を設置することなく、選択したシフトポジションに対応したインジケータ意匠を昼夜にかかわらず明瞭に表示することができる。
【発明を実施するための最良の形態】
【０００８】
以下、本発明を図示の実施形態に基づいて説明する。図１は、本発明の実施形態に係るＡ／Ｔインジケータ表示装置を備えた車両のコンビネーションメータを示す正面図、図２は、本発明の実施形態に係るＡ／Ｔインジケータ表示装置を示す概略断面図である。
【０００９】
図１に示すように、本実施形態に係るＡ／Ｔインジケータ表示装置１は、車両のインストルメントパネル（不図示）に設けたコンビネーションメータ２内に設置されている。なお、コンビネーションメータ２には、Ａ／Ｔインジケータ表示装置１以外にも、スピードメータ３、エンジン回転数計（タコメータ）４、燃料計５、水温計６、および各種警告灯（不図示）などが設置されている。
【００１０】
Ａ／Ｔインジケータ表示装置１は、図２に示すように、ケース本体１０の前面開口に設けた横長状の液晶表示パネル１１と、液晶表示パネル１１を背面側から照明するバックライト（ＬＥＤ）１２と、バックライト１２の光を拡散して液晶表示パネル１１を均一に照明するための拡散フィルタ１３と、制御装置１４を備えている。液晶表示パネル１１は、Ａ／Ｔをシフト操作するシフトレバー（不図示）のシフトポジションに対応した複数のインジケータ意匠（例えば、「Ｐ」、「Ｒ」、「Ｎ」、「Ｄ」、「３」、「２」、「Ｌ」（図１参照））をポジ・ネガ切換え自在に表示可能に構成されている。なお、液晶表示パネル１１を背面側から照明するバックライト１２は、液晶表示パネル１１の大きさや形状などに応じて２つ以上配置してもよい。
【００１１】
制御装置１４は、液晶表示パネル１１の複数のインジケータ表示部１１ａ，１１ｂ，１１ｃ，１１ｄ，１１ｅ，１１ｆ，１１ｇに液晶素子によってそれぞれ表示されるインジケータ意匠としての「Ｐ」、「Ｒ」、「Ｎ」、「Ｄ」、「３」、「２」、「Ｌ」（図１参照）のポジ（明）・ネガ（暗）切換え制御、およびバックライト１２への通電制御を行う。各インジケータ表示部１１ａ〜１１ｇの「Ｐ」、「Ｒ」、「Ｎ」、「Ｄ」、「３」、「２」、「Ｌ」は、Ａ／Ｔをシフト操作するシフトレバー（不図示）のシフトポジションに対応している。なお、図１に示したＡ／Ｔインジケータ表示装置１は、車両のイグニッションスイッチ（不図示）がＯＦＦの状態で、液晶表示パネル１１がバックライト１２で照明されていない状態である。
【００１２】
本発明の実施形態に係るＡ／Ｔインジケータ表示装置１は前記のように構成されており、例えば、車両のイグニッションスイッチ（不図示）がＯＮされ、シフトポジションがＮ（ニュートラル）のときには、シフトレバー（不図示）のＮポジションへの切換え信号が制御装置１４に出力される。そして、図３に示すように、制御装置１４は、液晶表示パネル１１のインジケータ表示部１１ｃに表示される「Ｎ」をネガ（暗）表示に切換え制御するとともに、他のインジケータ表示部１１ａ，１１ｂ，１１ｄ，１１ｅ，１１ｆ，１１ｇにそれぞれ表示される「Ｐ」、「Ｒ」、「Ｄ」、「３」、「２」、「Ｌ」をポジ（明）表示に切換え制御する。なお、シフトポジションがＮ以外に選択された場合においても、同様な切換え制御が実行される。
【００１３】
また、制御装置１４は、バックライト１２に対して通電制御して、各インジケータ表示部１１ａ〜１１ｇを背面側から照明している。すなわち、ポジションランプスイッチ（不図示）がＯＮされていない昼間の場合は、明るい車室内でもポジ表示されるインジケータ表示部１１ａ，１１ｂ，１１ｄ，１１ｅ，１１ｆ，１１ｇの「Ｐ」、「Ｒ」、「Ｄ」、「３」、「２」、「Ｌ」が良好に視認できるように、バックライト１２への通電量を多くして、高輝度で照明させる。また、ポジションランプスイッチ（不図示）がＯＮされる夜間の場合は、暗い車室内でもポジ表示されるインジケータ表示部１１ａ，１１ｂ，１１ｄ，１１ｅ，１１ｆ，１１ｇの「Ｐ」、「Ｒ」、「Ｄ」、「３」、「２」、「Ｌ」が眩し過ぎることなく良好に視認できるように、バックライト１２への通電を抑えて、中輝度〜低輝度で照明させる。
【００１４】
これにより、例えばシフトレバー（不図示）がＮポジションの場合において、図３に示したように、昼夜にかかわらず、選択したシフトポジション（Ｎ）に対応した液晶表示パネル１１のインジケータ表示部１１ｃのみが、インジケータ意匠としての「Ｎ」がネガ表示されることにより、運転者に対して、選択しているシフトポジションを良好に視認させることができる。
【００１５】
更に、昼夜にかかわらず、選択されていないシフトポジションに対応した液晶表示パネル１１の各インジケータ表示部１１ａ，１１ｂ，１１ｄ，１１ｅ，１１ｆ，１１ｇのインジケータ意匠としての「Ｐ」、「Ｒ」、「Ｄ」、「３」、「２」、「Ｌ」がポジ表示されることにより、運転者に対して、選択しているシフトポジション以外の他のシフトポジションも同時に視認させることができる。
【００１６】
このように、本実施形態に係るＡ／Ｔインジケータ表示装置１によれば、各インジケータ意匠（「Ｐ」、「Ｒ」、「Ｎ」、「Ｄ」、「３」、「２」、「Ｌ」）を個別に照明するための複数の光源や、各光源間に設ける遮光板などが不要となるので、コストの低減を図ることができ、更に、装置全体の小型化が可能となることにより、省スペース化を図ることができる。
【図面の簡単な説明】
【００１７】
【図１】本発明の実施形態に係るＡ／Ｔインジケータ表示装置を備えた車両のコンビネーションメータを示す正面図。
【図２】本発明の実施形態に係るＡ／Ｔインジケータ表示装置を示す概略断面図。
【図３】本発明の実施形態に係るＡ／Ｔインジケータ表示装置の液晶表示パネルに、「Ｎ」がネガ表示されている状態を示す図。
【符号の説明】
【００１８】
１        Ａ／Ｔインジケータ表示装置
２        コンビネーションメータ
１０      タケース本体
１１      液晶表示パネル
１１ａ〜１１ｇ      インジケータ表示部
１２      バックライト
１３      拡散フィルタ
１４      制御装置（制御手段）
【図１】
2007153046.tif 000003
【図２】
2007153046.tif 000004
【図３】
2007153046.tif 000005